(57)【要約】【課題】光スプリッタ３を収納したケース１の一端面に、光スプリッタの入力側ポート１３と出力側ポート１５とを配列してなる光スプリッタモジュールで、光スプリッタの出力側ポート１５に支線側光コネクタ２３を接続するとき等に、幹線側光コネクタ１９の接続状態や幹線側光ケーブル１７に悪影響を及ぼすおそれの少ない光スプリッタモジュールを提供する。【解決手段】ケース１に、入力側ポート１３に差し込まれる幹線側光コネクタ１９を当該入力側ポートに向けて案内するガイドアーム２５を突設する。ガイドアーム２５は、幹線側光コネクタ１９を入力側ポート１３に向けて案内する凹溝を有している。ガイドアーム２５の先端に、幹線側光コネクタに接続された幹線側光ケーブル１７を長手方向にスライド可能に保持するケーブル保持部２７を設ける。【選択図】図４
2010256535.tif 000002
【特許請求の範囲】
【請求項１】
光スプリッタを収納したケースの一端面に、光スプリッタの入力側ポートと出力側ポートとを配列してなる光スプリッタモジュールにおいて、前記ケースに、前記入力側ポートに差し込まれる幹線側光コネクタを当該入力側ポートに向けて案内するガイドアームを突設し、このガイドアームの先端に、前記幹線側光コネクタに接続された幹線側光ケーブルを長手方向にスライド可能に保持するケーブル保持部を設けたことを特徴とする光スプリッタモジュール。
【請求項２】
前記ガイドアームは、前記幹線側光コネクタを入力側ポートに向けて案内する凹溝を有しており、この凹溝の底の入力側ポート付近には入力側ポートの軸線方向に長い長穴が形成されており、これにより凹溝に落とし込まれた幹線側光コネクタを、凹溝の開口面側と底面側から手指で摘んで入力側ポートに差し込めるようになっていることを特徴とする請求項１記載の光スプリッタモジュール。
【発明の詳細な説明】
【技術分野】
【０００１】
本発明は、光スプリッタをケース内に収容し、ケースの一端面に光スプリッタの入力側ポートと出力側ポートを配列した光スプリッタモジュールに関するものである。
【背景技術】
【０００２】
光スプリッタモジュールは、図９に示すように、ケース１内に、光スプリッタ３と、光スプリッタ３の入力側光ファイバ心線５に接続された入力側光コネクタ７と、光スプリッタ３の出力側光ファイバ心線９に接続された出力側光コネクタ１１とを収容し、ケース１の一端面（例えば下端面、上端面又は一方の側面）に、入力側光コネクタ７の先端部が差し込まれた入力側ポート１３と、出力側光コネクタ１１の先端部が差し込まれた出力側ポート１５とを配列した構造となっている（例えば特許文献１参照）。入力側ポート１３及び出力側ポート１５は、両端から光コネクタを挿入して光コネクタ同士を接続するコネクタアダプタ等で構成される。図示の例は光スプリッタの入力側の数が１、出力側の数が８の場合であるが、入力側の数は２以上の場合もあり、出力側の数は入力側の数より多い。
【０００３】
光スプリッタモジュールは、入力側ポート１３に幹線側光ケーブル（光コードを含む）１７の先端に取り付けられた幹線側光コネクタ１９を差し込み接続し、出力側ポート１５に支線側光ケーブル（光コードを含む）２１の先端に取り付けられた支線側光コネクタ２３を差し込み接続して、多重光信号を分配するのに使用される。光スプリッタモジュールが例えば集合住宅などに設置される場合は、幹線側光ケーブル１７は局側光ケーブルであり、支線側光ケーブル２３は集合住宅内の個々の加入者に配線される加入者側光ケーブルである。
【先行技術文献】
【特許文献】
【０００４】
【特許文献１】特開２００６−２０９１１８号公報
【発明の概要】
【発明が解決しようとする課題】
【０００５】
光スプリッタモジュールでは、入力側ポート１３に幹線側光コネクタ１９を接続したままの状態で、必要に応じて（加入者の増減などに応じて）、複数の出力側ポート１５のうちのいずれかに支線側光コネクタ２３を差し込み接続したり、接続されている支線側光コネクタ２３を引き抜いたりする作業が行われる。ところが、入力側ポートは出力側ポートと接近して配置されているため、支線側光コネクタを差し込み接続したり引き抜いたりするときに、誤って幹線側光コネクタを引き抜いてしまったり、幹線側光コネクタに接触して幹線側光コネクタと入力側光コネクタとの接続状態を悪化させたり、あるいは幹線側光コネクタの後端で幹線側光ケーブルがきつく曲げられて損傷を受けたりするおそれがある。
【０００６】
本発明の目的は、光スプリッタの出力側ポートに支線側光コネクタを接続したり、接続されている支線側光コネクタを引き抜いたりするときに、幹線側光コネクタの接続状態や幹線側光ケーブルに悪影響を及ぼすおそれの少ない光スプリッタモジュールを提供することにある。
【課題を解決するための手段】
【０００７】
この目的を達成するため本発明は、光スプリッタを収納したケースの一端面に、光スプリッタの入力側ポートと出力側ポートとを配列してなる光スプリッタモジュールにおいて、前記ケースに、前記入力側ポートに差し込まれる幹線側光コネクタを当該入力側ポートに向けて案内するガイドアームを突設し、このガイドアームの先端に、前記幹線側光コネクタに接続された幹線側光ケーブルを長手方向にスライド可能に保持するケーブル保持部を設けたことを特徴とするものである。
【０００８】
本発明に係る光スプリッタモジュールにおいて、前記ガイドアームは、前記幹線側光コネクタを入力側ポートに向けて案内する凹溝を有しており、この凹溝の底の入力側ポート付近には入力側ポートの軸線方向に長い長穴が形成されており、これにより凹溝に落とし込まれた幹線側光コネクタを、凹溝の開口面側と底面側から手指で摘んで入力側ポートに差し込めるようになっていることが好ましい。
【発明の効果】
【０００９】
本発明によれば、光スプリッタの入力側ポートに接続された幹線側光コネクタは、ガイドアームに収容された状態となるので、光スプリッタの出力側ポートに支線側光コネクタを接続したり、接続されている支線側光コネクタを引き抜いたりするときに、幹線側光コネクタに外力がかかるおそれが少なく、このため幹線側光コネクタの接続状態に悪影響を及ぼすおそれが少なくなる。また、幹線側光ケーブルはガイドアームの先端のケーブル保持部に保持された状態となるので、幹線側光コネクタの後端できつく曲げられるおそれがなく、幹線側光ケーブルの損傷を防止できる。またケーブル保持部は幹線側光ケーブルをスライド可能に保持するため、幹線側光コネクタを入力側ポートに差し込み接続するときに、ケーブル保持部が障害となることがない。
【００１０】
また、ガイドアームの凹溝の底に長穴を形成して、凹溝に落とし込まれた幹線側光コネクタを、凹溝の開口面側と底面側から手指で摘めるようにしておけば、ガイドアームを設けても、幹線側光コネクタを入力側ポートに差し込む作業を容易に行うことができる。
【図面の簡単な説明】
【００１１】
【図１】本発明に係る光スプリッタモジュールの一実施例を示す、（Ａ）は正面図、（Ｂ）は右側面図、（Ｃ）は左側面図、（Ｄ）は底面図。
【図２】図１の光スプリッタモジュールのケーブル保持部を拡大して示す、（Ａ）は正面図、（Ｂ）は左側面図、（Ｃ）は底面図。
【図３】図１の光スプリッタモジュールのガイドアームの凹溝に幹線側光コネクタを落とし込んだ状態を示す、（Ａ）は正面図、（Ｂ）は右側面図、（Ｃ）は左側面図、（Ｄ）は底面図。
【図４】図１の光スプリッタモジュールの入力側ポートに幹線側光コネクタを接続し、出力側ポートに支線側光コネクタを接続した状態を示す、（Ａ）は正面図、（Ｂ）は右側面図、（Ｃ）は左側面図、（Ｄ）は底面図。
【図５】本発明に係る光スプリッタモジュールの他の実施例を示す、（Ａ）は正面図、（Ｂ）は右側面図、（Ｃ）は左側面図、（Ｄ）は底面図。
【図６】図５の光スプリッタモジュールを斜め下方から見た斜視図。
【図７】図５の光スプリッタモジュールのガイドアームの凹溝に幹線側光コネクタを落とし込んだ状態を示す、（Ａ）は正面図、（Ｂ）は右側面図、（Ｃ）は左側面図、（Ｄ）は底面図。
【図８】図５の光スプリッタモジュールの入力側ポートに幹線側光コネクタを接続し、出力側ポートに支線側光コネクタを接続した状態を示す、（Ａ）は正面図、（Ｂ）は右側面図、（Ｃ）は左側面図、（Ｄ）は底面図。
【図９】光スプリッタモジュールの説明図。
【発明を実施するための形態】
【００１２】
以下、本発明の実施例を図面を参照して詳細に説明する。
＜実施例１＞  図１は本発明の一実施例を示す。この光スプリッタモジュールは、扁平なケース１内に、光スプリッタ３と、光スプリッタ３の入力側光ファイバ心線５に接続された入力側光コネクタ７と、光スプリッタ３の出力側光ファイバ心線９に接続された複数の出力側光コネクタ１１とを収容し、ケース１の一端面（図示の例では下端面）に、前記入力側光コネクタ７が差し込まれた入力側ポート１３と、それぞれ前記出力側光コネクタ１１が差し込まれた複数の出力側ポート１５とを１列に配列した点では従来と同様である。
【００１３】
この光スプリッタモジュールの特徴は、ケース１に、入力側ポート１３に差し込まれる幹線側光コネクタを当該入力側ポート１３に向けて案内するガイドアーム２５を突設し、このガイドアーム２５の先端に、幹線側光ケーブルを長手方向にスライド可能に保持するケーブル保持部２７を設けたことである。
ガイドアーム２５は、入力側ポート１３の両側から入力側ポート１３の軸線方向（下方）に伸びる両側壁２９ａ、２９ｂと、この両側壁２９ａ、２９ｂをケース１の背面側で連結する底板２９ｃとで構成されている。これら両側壁２９ａ、２９ｂ及び底板２９ｃは、入力側ポート１３の軸線方向に伸びる凹溝３１を形成している。凹溝３１はケース１の正面側に開口している。また凹溝３１の入力側ポート１３付近では底板２９ｃが欠落しており、これにより凹溝３１の底に入力側ポート１３の軸線方向に長い長穴３３が形成されている。
【００１４】
また、ケーブル保持部２７は、図２に示すように、扁平な幹線側光ケーブル１７が側方から差し込まれるスロット３５を有している。スロット３５の幅は幹線側光ケーブル１７の厚さよりも若干大きく、スロット３５内で幹線側光ケーブル１７は長手方向にスライド可能であるが、捻れ防止のため回転はできないようになっている。またスロット３５の入口側には突起３７が形成されている。幹線側光ケーブル１７はこの突起３７を押し退けてスロット３５内に差し込まれ、差し込み後はスロット３５から簡単には脱出できないようになる。なお、ケーブル保持部３７付近では、スロット３５への幹線側光ケーブル１７の差し込みを容易にするため、スロット３５の開口部側の側壁２９ａと底板２９ｃの一部が切り欠かれている。
【００１５】
このスプリッタモジュールの入力側ポート１３に幹線側光コネクタを差し込むときは、まず図３に示すようにガイドアーム２５の凹溝３１に幹線側光コネクタ１９を落とし込むと共に、幹線側光ケーブル１７をケーブル保持部２７のスロット３５に差し込む。すると、幹線側光コネクタ１９の背面が長穴３３内に露出するので、凹溝３１に落とし込まれた幹線側光コネクタ１９を矢印Ａ、Ｂ方向から（凹溝３１の開口面側と底面側から）手指で摘むことができる。したがって、幹線側光コネクタ１９を手指で摘んで入力側ポート１３に向けて移動させることにより、幹線側光コネクタ１９の先端部を簡単に入力側ポート１３に差し込むことができる。
【００１６】
入力側ポート１３に差し込まれた幹線側光コネクタ１９は、図４に示すように、入力側光コネクタ７と光学的に接続された状態となる。この状態で幹線側光コネクタ１９は、ガイドアーム２５によって三方を囲まれているので、その後に、出力側ポート１５に支線側光コネクタ２３を差し込んだり引き抜いたりする作業を行うときに、誤って幹線側光コネクタ１９が引き抜かれたり、傾かせられたりするおそれがない。このため接続状態を安定に維持することができる。また、幹線側光ケーブル１７はケーブル保持部２７に保持されているので、支線側光コネクタ２３の差し込み、引き抜き作業時などに幹線側光コネクタ１９の後端（剛性が大きく変化する部分）できつく曲げられるおそれもなく、幹線側光ケーブル１７の保護も確実である。
【００１７】
＜実施例２＞  図５及び図６は本発明の他の実施例を示す。図において、図１と同一部分には同一符号を付してある。この光スプリッタモジュールが実施例１のものと異なる点は、ケース１の一端面（図示の例では下端面）が上下２段に形成されていて、この２段の下端面にそれぞれ出力側ポート１５が１列ずつ、２列に設けられていることである。ガイドアーム２５の構成は、片側の側壁２９ａがケース１の側壁で構成されていること以外は、実施例１と同じである。
【００１８】
図７は、上記の光スプリッタモジュールのガイドアーム２５の凹溝３１に幹線側光コネクタ１９を落とし込み、幹線側光ケーブル１７をケーブル保持部２７に保持させた状態を示す。また図８は、凹溝３１に落とし込んだ幹線側光コネクタ１９の先端部を入力側ポート１３に差し込み接続し、さらに出力側ポート１５に支線側光コネクタ２３を差し込み接続した状態を示す。
【００１９】
この実施例によると、出力側ポート１５を２列に配列できるので、出力側ポート１５の数が多くなってもケース１の幅寸法を小さく抑えることができる。
【符号の説明】
【００２０】
１：ケース
３：光スプリッタ
５：入力側光ファイバ心線
７：入力側光コネクタ
９：出力側光ファイバ心線
１１：出力側光コネクタ
１３：入力側ポート
１５：出力側ポート
１７：幹線側光ケーブル
１９：幹線側光コネクタ
２１：支線側光ケーブル
２３：支線側光コネクタ
２５：ガイドアーム
２７：ケーブル保持部
２９ａ、２９ｂ：側壁
２９ｃ：底板
３１：凹溝
３３：長穴
３５：スロット
３７：突起
【図１】
2010256535.tif 000003
【図２】
2010256535.tif 000004
【図３】
2010256535.tif 000005
【図４】
2010256535.tif 000006
【図５】
2010256535.tif 000007
【図６】
2010256535.tif 000008
【図７】
2010256535.tif 000009
【図８】
2010256535.tif 000010
【図９】
2010256535.tif 000011